(57)【特許請求の範囲】
【請求項１】
面および端部を有するレンズと、
フレーム（３）と、
中空領域を形成する部分を有する一対のテンプル（１）と、
前記フレーム（３）と前記テンプル（１）とを接続する一対の回転接続機構（２）であって、前記フレーム（３）に対して前記テンプル（１）を横方向の軸回りに回転可能で、且つ、前記テンプル（１）を前記フレーム（３）に向けて折り畳み可能に構成された回転接続機構（２）と、
を備え、
前記一対のテンプル（１）を横後方の軸回りに互いに逆方向にほぼ９０°回転してから前記フレーム（３）に向けて折り畳むことにより、前記テンプル（１）の中空領域内に前記レンズの端部が収容され、
回転接続機構（２）を更に含み、テンプル（１）が回転接続機構（２）を介してフレーム（３）に接続され、テンプル（１）及びフレーム（３）が、回転接続機構（２）を介して回転された後、折り畳まれたテンプルによって中空領域を形成し、この中空領域内でフレーム（３）が保護され、
テンプル（１）が、その本体に側壁（１２）を有するとともに、その前端に貫通刻設部（１１）を有し、本体の主貫通刻設部（１５）がテンプル（１）の側壁（１２）及び内側壁（１６）によって形成され、貫通刻設部（１１）が回転接続機構（２）の第１の構造体（２１）を形状的に補完しており、第１の構造体（２１）がテンプル（１）の貫通刻設部（１１）内に収容され、テンプル（１）の前端には位置決め用に第１の構造体（２１）の位置決め部（１３，１４）が設けられ、テンプル（１）の主貫通刻設部（１５）が貫通刻設部（１１）に接続され、フレーム（３）が、回転接続機構（２）によってテンプル（１）に接続されるとともに、テンプルの折り畳みによってテンプル（１）の主貫通刻設部（１５）内に収容され、両側壁がフレーム（３）の保護壁になる、箱状に折り畳むことができる眼鏡。
【請求項２】
面および端部を有するレンズと、
フレーム（３）と、
中空領域を形成する部分を有する一対のテンプル（１）と、
前記フレーム（３）と前記テンプル（１）とを接続する一対の回転接続機構（２）であって、前記フレーム（３）に対して前記テンプル（１）を横方向の軸回りに回転可能で、且つ、前記テンプル（１）を前記フレーム（３）に向けて折り畳み可能に構成された回転接続機構（２）と、
を備え、
前記一対のテンプル（１）を横後方の軸回りに互いに逆方向にほぼ９０°回転してから前記フレーム（３）に向けて折り畳むことにより、前記テンプル（１）の中空領域内に前記レンズの端部が収容され、
回転接続機構（２）を更に含み、テンプル（１）が回転接続機構（２）を介してフレーム（３）に接続され、テンプル（１）及びフレーム（３）が、回転接続機構（２）を介して回転された後、折り畳まれたテンプルによって中空領域を形成し、この中空領域内でフレーム（３）が保護され、
回転接続機構（２）が、第１の構造体（２１）と、回転接続軸（２２）と、第２の構造体（２３）と、ジャッキブロック（２４）と、スプリング（２５）と、ネジ（２６）と、ジャッキポール（２７）と、スプリング（２８）と、ネジ（２９）とを有し、スプリング（２５）及びジャッキブロック（２４）が第２の構造体（２３）の中空領域内に嵌め込まれてスプリング（２５）が押圧され、その後、回転ブロック（２２５）が位置される回転接続軸（２２）の側が第２の構造体（２３）の貫通溝（２３２）内に嵌め込まれ、ネジ（２６）が第２の構造体（２３）の位置決め穴（２３１）及び回転接続軸（２２）の位置決め穴（２２４）を貫通することにより、回転接続軸（２２）と第２の構造体（２３）とジャッキブロック（２４）とスプリング（２５）とネジ（２６）とが一体に結合され、回転接続軸（２２）の他方側の回転ブロック（２２２）が第１の構造体（２１）の穴（２１２）内に嵌合され、ジャッキポール（２７）の前側大支柱（２７１）が、第１の構造体（２１）の穴（２１１）内に嵌合されるとともに、回転接続軸（２２）の回転ブロック（２２１）と当接し、スプリング（２８）及びネジ（２９）が嵌め込まれて、回転接続機構（２）の全体が構成される、箱状に折り畳むことができる眼鏡。
【請求項３】
面および端部を有するレンズと、
フレーム（３）と、
中空領域を形成する部分を有する一対のテンプル（１）と、
前記フレーム（３）と前記テンプル（１）とを接続する一対の回転接続機構（２）であって、前記フレーム（３）に対して前記テンプル（１）を横方向の軸回りに回転可能で、且つ、前記テンプル（１）を前記フレーム（３）に向けて折り畳み可能に構成された回転接続機構（２）と、
を備え、
前記一対のテンプル（１）を横後方の軸回りに互いに逆方向にほぼ９０°回転してから前記フレーム（３）に向けて折り畳むことにより、前記テンプル（１）の中空領域内に前記レンズの端部が収容され、
回転接続機構（２）を更に含み、テンプル（１）が回転接続機構（２）を介してフレーム（３）に接続され、テンプル（１）及びフレーム（３）が、回転接続機構（２）を介して回転された後、折り畳まれたテンプルによって中空領域を形成し、この中空領域内でフレーム（３）が保護され、
回転接続機構（２）が、第１の構造体（２１）と、ジャッキポール（２７）と、スプリング（２８）と、ネジ（２９）とを有し、第１の構造体（２１）が、その中心軸線が同一面にある穴（２１１）及び穴（２１２）を有し、穴（２１１）の直径がネジ（２９）のネジ主軸の外径と強固に嵌合し、ジャッキポール（２７）の前部が大支柱（２７１）であり、後部が小支柱（２７２）であり、回転接続軸（２２）の回転ブロックの一方側が第１の構造体（２１）の穴（２１２）内に嵌合され、ジャッキポール（２７）が第１の構造体（２１）の穴（２１１）内に嵌合されると、ジャッキポール（２７）の前側大支柱（２７１）が、回転接続軸（２２）のＡ１，Ａ２，Ａ３，Ａ４等の形状を有する回転ブロック（２２１）と当接し、回転ブロック（２２１）の対角線に沿う距離が回転ブロック（２２２）の外径よりも小さく、スプリング（２８）が、第１の構造体（２１）の穴（２１１）内に嵌合された後にジャッキポール（２７）の小支柱（２７２）上に被装され、ネジ（２９）が固定され、回転接続軸（２２）を回転させる回転力及び回転接続軸（２２）に対する初期の予備的な締め付け力を形成するために、スプリングの変形が使用される、箱状に折り畳むことができる眼鏡。
【請求項４】
面および端部を有するレンズと、
フレーム（３）と、
中空領域を形成する部分を有する一対のテンプル（１）と、
前記フレーム（３）と前記テンプル（１）とを接続する一対の回転接続機構（２）であって、前記フレーム（３）に対して前記テンプル（１）を横方向の軸回りに回転可能で、且つ、前記テンプル（１）を前記フレーム（３）に向けて折り畳み可能に構成された回転接続機構（２）と、
を備え、
前記一対のテンプル（１）を横後方の軸回りに互いに逆方向にほぼ９０°回転してから前記フレーム（３）に向けて折り畳むことにより、前記テンプル（１）の中空領域内に前記レンズの端部が収容され、
回転接続機構（２）を更に含み、テンプル（１）が回転接続機構（２）を介してフレーム（３）に接続され、テンプル（１）及びフレーム（３）が、回転接続機構（２）を介して回転された後、折り畳まれたテンプルによって中空領域を形成し、この中空領域内でフレーム（３）が保護され、
回転接続機構（２）が回転接続軸（２２）も有し、回転接続軸（２２）に設けられた回転ブロック（２２２）の外径が穴（２１１）の直径に等しく、回転接続軸（２２）が、穴（２１２）に嵌め込まれた後に第１の構造体（２１）に強固に取り付けられるとともに、穴（２１２）内で回転し、回転接続軸（２２）が円形ブロック（２２３）及び逆台形状、四角形を成す回転ブロック（２２５）も有しており、回転ブロック（２２５）には位置決め穴（２２４）が設けられ、ジャッキブロック（２４）、スプリング（２５）、ネジ（２６）、第２の構造体（２３）が一体で取り付けられると、これらは、位置決めストッパ又は回転ストッパでもある位置決め穴（２２４）を中心に回動し、回転接続軸（２２）の他端には回転ブロック（２２１）及び回転ブロック（２２２）が設けられ、回転接続軸（２２）自体が、第１の構造体（２１）の穴内で、回転ブロック（２２２）の中心周りに回転する、箱状に折り畳むことができる眼鏡。
【請求項５】
面および端部を有するレンズと、
フレーム（３）と、
中空領域を形成する部分を有する一対のテンプル（１）と、
前記フレーム（３）と前記テンプル（１）とを接続する一対の回転接続機構（２）であって、前記フレーム（３）に対して前記テンプル（１）を横方向の軸回りに回転可能で、且つ、前記テンプル（１）を前記フレーム（３）に向けて折り畳み可能に構成された回転接続機構（２）と、
を備え、
前記一対のテンプル（１）を横後方の軸回りに互いに逆方向にほぼ９０°回転してから前記フレーム（３）に向けて折り畳むことにより、前記テンプル（１）の中空領域内に前記レンズの端部が収容され、
回転接続機構（２）を更に含み、テンプル（１）が回転接続機構（２）を介してフレーム（３）に接続され、テンプル（１）及びフレーム（３）が、回転接続機構（２）を介して回転された後、折り畳まれたテンプルによって中空領域を形成し、この中空領域内でフレーム（３）が保護され、
回転接続機構（２）が、第２の構造体（２３）と、ジャッキブロック（２４）と、スプリング（２５）と、ネジ（２６）とを有し、第２の構造体（２３）の一端にはフレーム（３）に結合された組み合わせ溝（２３４）が設けられ、他端には穴（２３３）とその中心面が組み合わせ溝（２３４）と同じである貫通溝（２３２）とが設けられ、第２の構造体（２３）には、貫通溝（２３２）と同じ側に、貫通溝（２３２）の面に対して垂直な中心線に沿って位置決め穴（２３１）が設けられ、スプリング（２５）が穴（２３３）内に嵌め込まれると、ジャッキブロック（２４）が穴（２３３）内に嵌合された後、ジャッキブロック（２４）の一部がスプリング（２５）のチューブ内に挿入され、ジャッキブロック（２４）の他端には、貫通溝（２３２）内で横方向にスライドできる位置決めブロック（２４１）が設けられ、ジャッキブロック（２４）がスプリングへ押し付けられると、回転ブロック（２２５）を有する回転接続軸（２２）の一端が第２の構造体（２３）の貫通溝（２３２）内に嵌め込まれ、第２の構造体（２３）が、位置決め穴（２３１，２２４）を貫通するネジ（２６）を用いて回転接続軸（２２）に結合され、同時に、スプリング（２５）の変形が、ジャッキブロック（２４）とスプリング（２５）とネジ（２６）と第２の構造体（２３）とを一体に取り付け且つこれら全体を位置決め穴（２２４）を中心に回転させる初期予備締め付け力及びストッパ力を形成する、箱状に折り畳むことができる眼鏡。
【請求項６】
面および端部を有するレンズと、
フレーム（３）と、
中空領域を形成する部分を有する一対のテンプル（１）と、
前記フレーム（３）と前記テンプル（１）とを接続する一対の回転接続機構（２）であって、前記フレーム（３）に対して前記テンプル（１）を横方向の軸回りに回転可能で、且つ、前記テンプル（１）を前記フレーム（３）に向けて折り畳み可能に構成された回転接続機構（２）と、
を備え、
前記一対のテンプル（１）を横後方の軸回りに互いに逆方向にほぼ９０°回転してから前記フレーム（３）に向けて折り畳むことにより、前記テンプル（１）の中空領域内に前記レンズの端部が収容され、
回転接続機構（２）を更に含み、テンプル（１）が回転接続機構（２）を介してフレーム（３）に接続され、テンプル（１）及びフレーム（３）が、回転接続機構（２）を介して回転された後、折り畳まれたテンプルによって中空領域を形成し、この中空領域内でフレーム（３）が保護され、
回転接続機構（２）の第１の構造体（２１）が穴（２１２）及び穴（２１３）も有し、スプリング（２８）が第１の構造体（２１）の穴（２１３）内に嵌め込まれ、その後、ジャッキポール（２７）の小支柱（２７２）がスプリング（２８）のチューブ内に挿入され、ジャッキポール（２７）が下方に押し進められ、回転ブロックを有する回転接続軸（２２）の一方側が第１の構造体（２１）の穴（２１２）内に嵌合されると、ジャッキポール（２７）の前側大支柱（２７１）が、回転接続軸（２２）のＡ１，Ａ２，Ａ３，Ａ４等の形状を有する回転ブロック（２２１）と当接し、押圧によって引き起こされるスプリング（２８）の変形が、回転接続軸（２２）を回転させる回転力及び回転接続軸（２２）が第１の構造体（２１）の穴（２１２）から抜き出される際に必要とされる初期の予備的な締め付け力を形成し、回転ブロック（２２１）が、初期スプリング力によりジャッキポール（２７）及びスプリング（２８）が穴（２１３）から飛び出されるストッパ位置となる、箱状に折り畳むことができる眼鏡。
【発明の詳細な説明】
【発明の分野】
【０００１】
本発明は、一種の眼鏡に関し、特に、箱状に折り畳むことができる眼鏡に関する。
【背景】
【０００２】
一般的な眼鏡の場合には、テンプルバーが内側に折り畳まれ、その後、眼鏡が眼鏡ケース内に収容されて持ち運ばれる。この種の動作は、特に、二焦点眼鏡を使用し且つ二焦点眼鏡を頻繁に付けたり外したりする必要がある高齢者にとっては非常に不便である。
【発明の概要】
【０００３】
本発明は、使用が容易なケースを形成するように折り畳むことができる眼鏡を提供することにより、現在の技術の欠点を解消する。
【０００４】
前述した目的を達成するため、本発明の箱形状に折り畳まれる眼鏡は一対のフレームと一対のテンプルとを備えており、テンプルはフレームの位置へ向けて折り畳むことができ、また、テンプルは箱の形態を成す中空領域を有しており、それにより、フレームは、テンプルの折り畳みにより中空領域内で保護される。
【０００５】
回転接続機構は、設定された角度のストッパ位置を有する回転機構を有し、テンプルが折り畳まれると、前記機構は、フレームの位置へとテンプルを引き寄せる引張力を有する。
【０００６】
本発明の箱状に折り畳まれる眼鏡は、不使用時には箱状に折り畳むことができ、また、フレームはテンプルによって内側に収容される。したがって、レンズ及びフレーム自体が効果的に保護される。古いスタイルの現在の眼鏡とは異なり、眼鏡の装着時に眼鏡を箱から取り出す必要がない。したがって、特にこのように形成される眼鏡を使用する高齢者にとっては非常に便利である。テンプルは様々に構成することができる。テンプルは、小型で精巧なスタイルのみならず、しっかりとした豪華なスタイルに形成することもできる。フレームを収容する中空領域を増大させ、又は減少させることができる。
【実施形態の詳細な説明】
【０００７】
図面を参照しながら、本発明の具体的な実施形態について詳しく説明する。
【０００８】
［実施形態１］
箱状に折り畳むことができる本発明の眼鏡は、一対のテンプル１と、一対の回転接続機構２と、一対のフレーム３とを備えており、テンプル１には、その本体に側壁１２が設けられるとともに、その前端に貫通刻設部１１が設けられ、テンプル１の側壁１２及び壁１６は本体の貫通刻設部１５を形成しており、また、貫通刻設部１１は回転接続機構２の第１の構造体２１を形状的に補完しており、第１の構造体２１はテンプル１に対して密接結合され、テンプル１にはその前端に第１の構造体２１を位置決めする位置決め部１３，１４が設けられている。本体の貫通刻設部１５は貫通刻設部１１に接続されており、フレーム３は、回転接続機構２によってテンプル１に接続されるとともに、折り畳み後にテンプル１の本体の貫通刻設部１５内に収容される。
【０００９】
回転接続機構２には、第１の構造体２１と、回転接続軸２２と、第２の構造体２３と、ジャッキブロック２４と、スプリング２５と、ネジ２６と、ジャッキポール２７と、スプリング２８と、ネジ２９とが設けられている。第１の構造体２１は、その中心軸線が同一面にある穴２１１及び穴２１２を有しており、穴２１２の内径は回転接続軸２２上に設けられた回転ブロック２２２の外径に等しく、回転接続軸２２は、それが穴２１２内に嵌め込まれた後に第１の構造体２１に強固に取り付けられるとともに、穴２１２内で回転し、穴２１１の直径はネジ２９のネジ主軸の外径と強固に嵌合し、ジャッキポール２７の前部は大支柱２７１であり、後部は小支柱２７２である。
【００１０】
回転接続軸２２の回転ブロックの一方側が第１の構造体２１の穴２１２内に嵌合され、ジャッキポール２７が第１の構造体２１の穴２１１内に嵌合され、その結果、ジャッキポール２７の前側大支柱２７１は、回転接続軸２２のＡ１，Ａ２，Ａ３，Ａ４等の形状を有する回転ブロック２２１と当接し、回転ブロック２２１の対角線に沿う距離は回転ブロック２２２の外径よりも小さく、スプリング２８は、第１の構造体２１の穴２１１内に嵌合された後にジャッキポール２７の小支柱２７２上に被装され、ネジ２９が固定され、回転接続軸２２を回転させる回転力及び回転接続軸２２に対する初期の予備的な締め付け力を形成するために、スプリングの変形が使用される。
【００１１】
また、回転接続軸２２は円形ブロック２２３及び回転ブロック２２５も有しており、回転ブロック２２５には位置決め穴２２４が設けられ、一方、第２の構造体２３の一端にはフレーム３と一体の組み合わせ溝２３４が設けられ、他端には穴２３３とその中心面が組み合わせ溝２３４と同じである貫通溝２３２とが設けられ、第２の構造体２３には、貫通溝２３２と同じ側に、貫通溝２３２の面に対して垂直な中心線に沿って位置決め穴２３１が設けられ、スプリング２５が穴２３３内に嵌め込まれると、ジャッキブロック２４の一部がスプリング２５のチューブ内に挿入される。ジャッキブロック２４の他端には、貫通溝２３２内で横方向にスライドできる位置決めブロック２４１が設けられており、ジャッキブロック２４がスプリングへ押し付けられると、回転ブロック２２５が位置される回転接続軸２２の一端が第２の構造体２３の貫通溝２３２内に嵌め込まれ、第２の構造体２３は、位置決め穴２３１，２２４を貫通するネジ２６を用いて回転接続軸２２に結合され、同時に、スプリング２５の変形は、ジャッキブロック２４とスプリング２５とネジ２６と第２の構造体２３とを一体にし且つこれら全体を位置決め穴２２４を中心に回転させる初期予備締め付け力及びストッパ力を形成する。
【００１２】
フレーム３は、レンズフレーム３１と、ブリッジ３２と、レンズ３３とを備えており、また、フレーム３は、テンプル１に接続されるとともに、回転接続機構２を介して内側に折り畳まれるテンプル１により形成される中空領域内に収容される。
【００１３】
前述した構造においては、装着する間の眼鏡の状態が図７〜１３に示されており、最初に、図８に示されるように、左側テンプルが前方に回転され、右側テンプルが後方に回転され、両方のテンプルは回転接続機構２のストッパ位置まで回転され（フレームとの角度がほぼ９０°；テンプルは９０°以下の範囲でのみ回転できる）、その後、図９に示されるように、左側テンプルが右側テンプルと同じ側まで１８０°回転された後、フレームが９０°回転され、この時点で眼鏡を装着することができ、逆に、眼鏡が反対のステップで折り畳まれると、フレームが両方のテンプルにより形成される中空領域内に収容され、フレーム及びレンズを箱の中のように保護することができる。その外観が一体箱のような眼鏡は便利に携帯できる。
【００１４】
箱状に折り畳まれた眼鏡は、フレームが９０°前方又は後方へ回転されるだけで装着することができる。すなわち、なすべき唯一のことは、レンズフレームの面が両方のテンプルによって形成される面に対して垂直であることである。
【００１５】
［実施形態２］
箱状に折り畳むことができる本発明の眼鏡は、一対のテンプル１と、一対の回転接続機構２と、一対のフレーム３とを備えており、テンプル１には、その本体に側壁１２が設けられるとともに、その前端に貫通刻設部１１が設けられ、テンプル１の側壁１２及び壁１６は本体内に貫通刻設部１５を形成しており、また、貫通刻設部１１は回転接続機構２の第１の構造体２１を形状的に補完しており、第１の構造体２１はテンプル１に対して密接結合されている。テンプル１にはその前端に第１の構造体２１を位置決めする位置決め部１３，１４が設けられている。本体の貫通刻設部１５は貫通刻設部１１に接続されている。フレーム３は、回転接続機構２によってテンプル１に接続されるとともに、折り畳み後にテンプル１の本体の貫通刻設部１５内に収容される。
【００１６】
回転接続機構２には、第１の構造体２１と、回転接続軸２２と、第２の構造体２３と、ジャッキブロック２４と、スプリング２５と、ネジ２６と、ジャッキポール２７と、スプリング２８と、ネジ２９とが設けられている。第１の構造体２１には、その中心軸線が同一面にある穴２１１及び穴２１２が設けられている。穴２１２の内径は回転接続軸２２上に設けられた回転ブロック２２２の外径に等しい。回転接続軸２２は、それが穴２１２内に嵌め込まれた後に第１の構造体２１に強固に取り付けられるとともに、穴２１２内で回転する。穴２１１の直径はネジ２９のネジ主軸の外径と強固に嵌合する。ジャッキポール２７の前部は大支柱２７１であり、後部は小支柱２７２である。
【００１７】
スプリング２８は第１の構造体２１の穴２１３内に嵌め込まれる。その後、ジャッキポール２７の小支柱２７２がスプリング２８のチューブ内に挿入される。ジャッキポール２７が押圧されると、回転接続軸２２の回転ブロック２２２の一方側が第１の構造体２１の穴２１２内に嵌合され、ジャッキポール２７の前側大支柱２７１が回転接続軸２２のＡ１，Ａ２，Ａ３，Ａ４等の形状を有する回転ブロック２２１と当接する。押圧によって引き起こされるスプリング２８の変形は、回転接続軸２２を回転させる回転力及び回転接続軸２２が第１の構造体２１の穴２１２から抜き出される際に必要とされる初期の予備的な締め付け力を形成する。回転ブロック２２１は、初期スプリング力によりジャッキポール２７及びスプリング２８が穴２１３から飛び出されるストッパ位置となる。
【００１８】
また、回転接続軸２２は円形ブロック２２３及び回転ブロック２２５も有しており、回転ブロック２２５には位置決め穴２２４が設けられている。第２の構造体２３の一端にはフレーム３と一体の組み合わせ溝２３４が設けられ、他端には穴２３３とその中心面が組み合わせ溝２３４と同じである貫通溝２３２とが設けられている。第２の構造体２３には、貫通溝２３２と同じ側に、貫通溝２３２の面に対して垂直な中心線に沿って位置決め穴２３１が設けられている。スプリング２５が穴２３３内に嵌め込まれると、ジャッキブロック２４が穴２３３内に嵌合され、その後、ジャッキブロック２４の一部がスプリング２５のチューブ内に挿入される。ジャッキブロック２４の他端には、貫通溝２３２内で横方向にスライドできる位置決めブロック２４１が設けられており、ジャッキブロック２４がスプリングへ押し付けられると、回転接続軸２２の回転ブロック２２５の一端が第２の構造体２３の貫通溝２３２内に嵌め込まれる。第２の構造体２３は、位置決め穴２３１，２２４を貫通するネジ２６を用いて回転接続軸２２に結合される。同時に、スプリング２５の変形は、ジャッキブロック２４とスプリング２５とネジ２６と第２の構造体２３とを一体に取り付け且つこれら全体を位置決め穴２２４を中心に回転させる初期予備締め付け力及びストッパ力を形成する。
【００１９】
フレーム３は、レンズフレーム３１と、ブリッジ３２と、レンズ３３とを備える。フレーム３は、テンプル１に接続されるとともに、回転接続機構２を介して内側に折り畳まれるテンプル１により形成される中空領域内に収容される。したがって、フレーム及びレンズを箱の中のように保護することができる。その外観が一体箱のような眼鏡は便利に携帯できる。
【図面の簡単な説明】
【００２０】
【図１】本発明の第１の実施形態の一体的な例図である。
【図２】本発明の第１の実施形態のテンプルの断面図及び斜視図である。
【図３ａ】それぞれ本発明のテンプルの３つの異なる形状の例図である。
【図３ｂ】それぞれ本発明のテンプルの３つの異なる形状の例図である。
【図３ｃ】それぞれ本発明のテンプルの３つの異なる形状の例図である。
【図４】本発明の第１の実施形態の回転接続機構の構造概略図及び一体的な斜視図である。
【図５】本発明の第２の実施形態の回転接続機構の構造概略図及び一体的な斜視図である。
【図６】本発明のフレームのブリッジの２つの異なる形状の図である。
【図７】本発明の実施形態の眼鏡開放、回転、折り畳みの使用プロセス図である。
【図８】本発明の実施形態の眼鏡開放、回転、折り畳みの使用プロセス図である
【図９】本発明の実施形態の眼鏡開放、回転、折り畳みの使用プロセス図である
【図１０】本発明の実施形態の眼鏡開放、回転、折り畳みの使用プロセス図である
【図１１】本発明の実施形態の眼鏡開放、回転、折り畳みの使用プロセス図である
【図１２】回転接続軸２２上にある位置決め穴２２４を中心に回転する本発明の第１の実施形態の回転接続機構の一端の概略断面図である。
【図１３】第１の構造体２１の穴２１２内で回転する本発明の第１の実施形態の回転接続機構の他端の概略断面図である。
【図１】
0004749426.tif 000002
【図２】
0004749426.tif 000003
【図３ａ】
0004749426.tif 000004
【図３ｂ】
0004749426.tif 000005
【図３ｃ】
0004749426.tif 000006
【図４】
0004749426.tif 000007
【図５】
0004749426.tif 000008
【図６】
0004749426.tif 000009
【図７】
0004749426.tif 000010
【図８】
0004749426.tif 000011
【図９】
0004749426.tif 000012
【図１０】
0004749426.tif 000013
【図１１】
0004749426.tif 000014
【図１２】
0004749426.tif 000015
【図１３】
0004749426.tif 000016